(57)【要約】【課題】ヘッドフォン用ステレオ音声（第２音声）とマイク入力用モノ音声（第１音声）とを分離して出力させることのできる音声変換アダプタを提供する。【解決手段】Ｌチャンネル音声入力端子と、Ｒチャンネル音声入力端子と、入力されたＬチャンネル音声信号の振幅を調整して出力するＬチャンネル音量調節ボリュームと、入力されたＲチャンネル音声信号の振幅を調整して出力するＲチャンネル音量調節ボリュームと、Ｌチャンネル音量調節ボリュームからの出力信号を出力するＬチャンネル出力端子とＲチャンネル音声調節ボリュームからの出力信号を出力するＲチャンネル出力端子とを備えたヘッドフォン用ステレオジャックと、入力されたＬチャンネル音声信号と入力されたＲチャンネル音声信号とを混合して合成する合成回路と、合成回路からの出力信号をマイク入力として出力する出力端子を備えたマイク入力接続用モノジャックとを具備する。【選択図】      図１
2015076695.tif 000002
【特許請求の範囲】
【請求項１】
Ｌチャンネル音声信号を入力するＬチャンネル入力端子と、
Ｒチャンネル音声信号を入力するＲチャンネル入力端子と、
入力された前記Ｌチャンネル音声信号の振幅を調整して出力するＬチャンネル音量調節ボリュームと、
入力された前記Ｒチャンネル音声信号の振幅を調整して出力するＲチャンネル音量調節ボリュームと、
前記Ｌチャンネル音量調節ボリュームからの出力信号を出力するＬチャンネル出力端子と前記Ｒチャンネル音声調節ボリュームからの出力信号を出力するＲチャンネル出力端子とを備えたヘッドフォン用ステレオジャックと、
入力された前記Ｌチャンネル音声信号と入力された前記Ｒチャンネル音声信号とを混合して合成する合成回路と、
前記合成回路からの出力信号をマイク入力として出力する出力端子を備えたマイク入力接続用モノジャックとを具備することを特徴とする音声変換アダプタ。
【請求項２】
請求項１に記載の音声変換アダプタにおいて、
前記合成回路は、合成された音声信号に所望の減衰を与える減衰器を含むことを特徴とする音声変換アダプタ。
【請求項３】
請求項１に記載の音声変換アダプタにおいて、
入力された前記Ｌチャンネル音声信号と入力された前記Ｒチャンネル音声信号とをノイズを除去するフィルタ回路を介して前記合成回路に入力することを特徴とする音声変換アダプタ。
【請求項４】
請求項１に記載の音声変換アダプタにおいて、
前記Ｌチャンネル入力端子と、
前記Ｒチャンネル入力端子とを備えた予備ステレオジャックを更に具備することを特徴とする音声変換アダプタ。
【請求項５】
前記ヘッドフォン用ステレオジャックと前記マイク入力接続用モノジャックとをシート装置に取り付けたことを特徴とする請求項１に記載の音声変換アダプタ。
【発明の詳細な説明】
【技術分野】
【０００１】
本発明は、音声変換アダプタに係り、特に、航空機の機内シートの音声出力ジャックに取り付け、機内エンターテインメントサービスを手持ちのヘッドフォン（又はイヤフォン）や携帯デバイスを用いて鑑賞するために用いる音声変換アダプタに関する。
【背景技術】
【０００２】
航空機の機内シートの音声出力ジャックに取り付け、手持ちのヘッドフォンやイヤフォンをこれに接続して、より良い音質で機内のオーディオ番組を楽しむための変換プラグが市販されている。
図４は、従来の変換プラグ１００の一例を示す図、図５はその内部結線を示す図である。
【０００３】
変換プラグ１００は、図４に示すように、ベークライト等の絶縁体５０に、Ｌチャンネル音声信号を入力するＬチャンネルモノプラグ１０Ｌと、Ｒチャンネル音声信号を入力するＲチャンネルモノプラグ１０Ｒと、ヘッドフォン（又はイヤフォン）用ステレオジャック２０とを取り付け、図５に示すように内部結線を施して構成される。
【０００４】
Ｌチャンネルモノプラグ１０ＬとＲチャンネルモノプラグとは、通常、一対のデュアルプラグとして構成され、このデュアルプラグを図示しない機内シートに設けられているステレオデュアルジャックに挿入する。そして、ヘッドフォン（又はイヤフォン）４０に接続されたステレオプラグ３０をステレオジャック２０に差し込んで使用する。
【０００５】
なお、機内シートに設けられる音声出力用のジャックには、オーディオ信号だけでなく電源電圧なども同時に供給するタイプのものもあり、これに応じて多種類のヘッドフォンジャックが用意されている場合もある。
このような多種類のヘッドフォンジャックに対応できる変換プラグが特許文献１に記載されている。
【先行技術文献】
【特許文献】
【０００６】
【特許文献１】特開２００３−２６４８８６号公報
【発明の概要】
【発明が解決しようとする課題】
【０００７】
最近、映画などの上映に際して、その映画の鑑賞を支援するために聴覚障害者に対しては字幕や手話映像をスクリーン上に表示したり、視覚障害者に対しては、音声ガイドをスピーカから流したり、また異なる文化と言語を持つ人々に対しては、複数の異なる言語で表示された字幕を表示したりする、いわゆる、セカンドスクリーン情報の映像コンテンツへの付加によりバリアフリー化が行われている。
【０００８】
しかし、例えば字幕が入っていたり、音声ガイドがスピーカから流れると、健常者にとっては、むしろ目障り、耳障りとなり、複数の異なる言語で字幕が表示されると、映像が見づらくなってしまう。
このようなバリアフリー化に伴う問題を解決するために、例えば個々の映画視聴者に携帯デバイスを提供し、この携帯デバイスにセカンドスクリーン情報を表示又は出力させることが行われている。
【０００９】
オランダのＣｉｖｏｌｕｔｉｏｎ社（ｈｔｔｐ：／／ｗｗｗ．ｃｉｖｏｌｕｔｉｏｎ．ｃｏｍ）は音声透かしを使ったセカンドスクリーンソリューション「ＳｙｎｃＮｏｗ」を提供している（ｈｔｔｐ：／／ｗｗｗ．ｓｙｎｃｎｏｗ．ｃｏｍ／）。この技術は、音声の可聴範囲の周波数帯域に分散して、種々のコード情報を透かしとして埋め込んでおき、コンテンツの映像シーンに応じてスマートフォンやタブレット端末のアプリケーションが自動的に関連情報を表示するというものである。
【００１０】
音声電子透かしは、オーディオコンテンツ（ファイル又はサウンドトラック）に挿入される、人間の耳では感知できない情報で構成され、オリジナルコンテンツのオーディオ品質には何等影響を与えない。
また、電子透かしとして音声に挿入され埋め込まれた情報は、信号伝達に伴う信号圧縮や変換を通しても失われることなく残る。従ってスピーカから出てくる音声には透かし情報が入ったままで、スマートフォンやタブレット端末は、マイク入力からこの情報を取り出すことができる。
【００１１】
このようなセカンドスクリーン情報が音声に付加された映画が、機内上映された場合、音声は機内シートの音声出力ジャックから変換プラグを介して取り出されるが、この音声をスマートフォンやタブレット端末などの携帯デバイスのマイク入力端子に入力される音声（以下、第１音声という）と、人の耳に行くヘッドフォン（又はイヤフォン）用の音声（以下、第２音声という）とに分割処理する必要がある。
【００１２】
セカンドスクリーン情報を必要とする乗客は、第１音声を携帯デバイスのマイク入力端子に入力し、映像シーンに同期させて携帯デバイスに予め格納されているセカンドスクリーン情報を出力させる。
セカンドスクリーン情報を必要としない乗客は、従来通り第２音声をヘッドフォン（又はイヤフォン）で聞くことができる。
【００１３】
しかし、現在市販されている図４、図５に示される変換プラグでは、音声をこのように第１音声と第２音声とに分割処理することはできず、特許文献１に記載されている変換プラグでも同様に分割処理はできない。従って、現状では、セカンドスクリーン情報が音声に付加された映画を乗客が十分に鑑賞できないという問題がある。
本発明は、上記問題点を解決し、第１音声と第２音声とを分割して出力させることのできる音声変換アダプタを提供することを目的とする。
【課題を解決するための手段】
【００１４】
本発明の音声変換アダプタは、Ｌチャンネル音声信号を入力するＬチャンネル入力端子と、Ｒチャンネル音声信号を入力するＲチャンネル入力端子と、入力されたＬチャンネル音声信号の振幅を調整して出力するＬチャンネル音量調節ボリュームと、入力されたＲチャンネル音声信号の振幅を調整して出力するＲチャンネル音量調節ボリュームと、Ｌチャンネル音量調節ボリュームからの出力信号を出力するＬチャンネル出力端子とＲチャンネル音声調節ボリュームからの出力信号を出力するＲチャンネル出力端子とを備えたヘッドフォン用ステレオジャックと、入力されたＬチャンネル音声信号と入力されたＲチャンネル音声信号とを混合して合成する合成回路と、合成回路からの出力信号をマイク入力として出力する出力端子を備えたマイク入力接続用モノジャックとを具備することを特徴とする。
【００１５】
また、本発明の音声変換アダプタにおいて、合成回路は、合成された音声信号に所望の減衰を与える減衰器を含むことを特徴とする。
また、本発明の音声変換アダプタは、入力されたＬチャンネル音声信号と入力されたＲチャンネル音声信号とをノイズを除去するフィルタ回路を介して合成回路に入力することを特徴とする。
【００１６】
また、本発明の音声変換アダプタは、Ｌチャンネル入力端子と、Ｒチャンネル入力端子とを備えた予備ステレオジャックを更に具備することを特徴とする。
さらに、本発明の音声変換アダプタは、ヘッドフォン用ステレオジャックとマイク入力接続用モノジャックとをシート装置に取り付けたことを特徴とする。
【発明の効果】
【００１７】
本発明の音声変換アダプタを使用すると、音声を第１音声と第２音声とに分割処理することができるため、音声からセカンドスクリーン情報を適切に取り出すことができる。
【図面の簡単な説明】
【００１８】
【図１】本発明の音声変換アダプタの一実施例の回路構成図。
【図２】本発明の音声変換アダプタの他の実施例の回路構成図。
【図３】本発明の音声変換アダプタの外観図。
【図４】従来の変換プラグの一例を示す図。
【図５】従来の変換プラグの内部結線を示す図。
【発明を実施するための形態】
【００１９】
図１は本発明の音声変換アダプタの一実施例の回路構成図である。
なお、図４、図５に示した従来の変換プラグの構成と同一部分には同一符号を付し、その詳細説明は省略する。
【００２０】
本発明の音声変換アダプタ２００では、Ｌチャンネル入力端子となるＬチャンネルモノプラグ１０Ｌから入力される音声信号はＬチャンネル音量調節ボリューム５４を介してヘッドフォン用ステレオジャック２０のＬチャンネル出力端子２０−１に出力される。
また、Ｒチャンネル入力端子となるＲチャンネルモノプラグ１０Ｒから入力される音声信号はＲチャンネル音量調節ボリューム５２を介してステレオジャック２０のＲチャンネル出力端子２０−２に出力される。このようにして第２音声がステレオジャック２０から出力される。
【００２１】
さらに、本発明の音声変換アダプタ２００では第１音声を出力するためのマイク入力接続用モノジャック２０ａが備えられており、Ｌチャンネルモノプラグ１０Ｌから入力される音声信号とＲチャンネルモノプラグ１０Ｒから入力される音声信号とが合成回路５６を介して混合されて合成され、このマイク入力接続用モノジャック２０ａの出力端子２０ａ−１に出力される。合成回路５６は、抵抗Ｒ１、Ｒ２、Ｒ３により構成されており、抵抗Ｒ１、Ｒ２による抵抗加算により音声信号の混合を行い、さらに抵抗Ｒ３との組合せにより、合成された音声信号に所望の減衰を与える。
【００２２】
なお、ヘッドフォン用ステレオジャック２０へ出力される第２音声信号とマイク入力接続用モノジャック２０ａへ出力される第１音声信号とを単純に２つに分割した場合、第２音声のみを聴く乗客は、その人が適切と思われる音量に機内シートに設置された音量調節ボリュームと音量調節ボリューム５２、５４とを調節するが、これで調節された音量がマイク入力接続用モノジャック２０ａから出力される第１音声の音量として必ずしも適正とは限らないという問題がある。
【００２３】
これを解決するために、合成回路５６を上述のように構成する。なお減衰器を含む合成回路の構成は、図１に示すものに限定されるものではなく、適宜変更することができる。
図２は、本発明の音声変換アダプタの他の実施例を示す回路構成図である。本実施例の場合には、Ｌチャンネル音声信号とＲチャンネル音声信号とからノイズを除去するフィルタ回路５８を合成回路５６の前段に設けて、ノイズ対策を行っている。このように第１音声信号からノイズを除去することは第１音声信号から電子透かし情報を検出するために極めて有効である。
【００２４】
また必要に応じて、図１に破線で示すように、Ｌチャンネル入力端子６０−１と、Ｒチャンネル入力端子６０−２を備えた予備ステレオジャック６０を設けておけば、他の音源から音声信号を入力することができるので、音声変換アダプタの有用性が向上する。
図３は、本発明の音声変換アダプタの外観図で、（ａ）は左側面図、（ｂ）は正面図、（ｃ）は右側面図をそれぞれ示している。
【００２５】
上述の実施例では、本発明の音声変換アダプタを航空機内での映画上映に使用する場合を説明したが、例えば、一般のテレビ、ＤＶＤ装置等の音声出力端子を利用した映像に同期する多言語字幕配信システムなどの他の用途にも使用することができる。
また、映像のない音声だけのラジオ、駅や空港やショッピングセンタやテーマパークのアナウンス、緊急警報連絡などの音声から電子透かし情報を検出して映像・地図・クーポン券・多言語字幕などを配信するシステムに対しても使用可能である。
【００２６】
なお、上述の実施例では、音声変換アダプタは、機内シートなどのシート装置に外付けして使用する場合を示したが、シート装置内に内蔵し、ヘッドフォン用ステレオジャックとマイク入力接続用モノジャックとをシート装置に取り付けて使用することも可能である。
【符号の説明】
【００２７】
１０Ｌ：Ｌチャンネルモノプラグ
１０Ｒ：Ｒチャンネルモノプラグ
２０  ：ヘッドフォン用ステレオジャック
２０ａ：マイク入力接続用モノジャック
５２  ：Ｒチャンネル音量調節ボリューム
５４  ：Ｌチャンネル音量調節ボリューム
５６  ：合成回路
５８  ：フィルタ回路
６０  ：予備ステレオジャック
【図１】
2015076695.tif 000003
【図２】
2015076695.tif 000004
【図３】
2015076695.tif 000005
【図４】
2015076695.tif 000006
【図５】
2015076695.tif 000007